(57)【要約】【課題】雨上がり時のコロナ騒音特性に優れた架空送電線を安価に提供する。【解決手段】本発明の架空送電線１においては、電線の最外層を複数本の素線３２で構成するとともに、各々の素線３２を断面略扇形に形成し、最外層で隣り合う各々の素線３２間に、電線から垂れ下がる水滴を毛細管現象によって引き込む溝部３３を形成した。【選択図】図１
2015179614.tif 000002
【特許請求の範囲】
【請求項１】
電線の最外層を複数本の素線で構成するとともに、
前記最外層を構成する各々の素線を断面略扇形に形成し、
前記最外層で隣り合う素線間に、前記電線から垂れ下がる水滴を毛細管現象によって引き込む溝部を形成してなる
ことを特徴とする架空送電線。
【請求項２】
前記最外層で隣り合う素線の相対向する２つの側面部のうち、少なくとも一方の側面部に突出部を形成し、この突出部を他方の側面部に突き当てることにより、前記溝部を形成してなる
ことを特徴とする請求項１に記載の架空送電線。
【請求項３】
前記溝部の幅を０．５ｍｍ以上、１．５ｍｍ以下としてなる
ことを特徴とする請求項１または２に記載の架空送電線。
【請求項４】
前記最外層で隣り合う素線の外側の角部を、曲率半径１．５ｍｍ以上、２．３ｍｍ以下のラウンド形状に形成してなる
ことを特徴とする請求項１〜３のいずれかに記載の架空送電線。
【発明の詳細な説明】
【技術分野】
【０００１】
本発明は、架空送電線において環境上問題となる風騒音やコロナ騒音の低減に関し、特に、暗騒音（周囲の雑音）の低い雨上がり時のコロナ騒音特性を改善した環境調和型の架空送電線に関する。
【背景技術】
【０００２】
架空送電線は、送電線路の市街地への接近や、送電線路近傍の宅地化により、環境調和が重要課題になっている。環境調和については、電磁界の問題や騒音の問題などがあり、国内では主に騒音の問題が重要課題になっている。騒音の問題では、強風時に電線から発生する風騒音を低減させる電線が開発されている。また、５００ｋＶ送電線に代表されるような超高圧送電線路では、降雨時に電線表面に形成される水滴によってコロナ放電が発生し、これにともなってコロナ騒音（Ａｕｄｉｂｌｅ  Ｎｏｉｓｅ）が発生する。このため、コロナ騒音、特にコロナハム音についての騒音対策が必要とされている。コロナハム音は、電源周波数の倍音（１００Ｈｚまたは１２０Ｈｚ）の純音で低周波のため、一般の音に比べると壁等で遮蔽されても減衰の程度が小さく、また暗騒音レベルよりも卓越して聞こえるために問題となる。
【０００３】
強風時に電線から発生する風騒音の対策としては、電線表面に突起部を形成し、電線まわりの渦の定常性を乱すことにより、風騒音の低減を図っている。ただし、電線表面に突起部を形成すると、電気的には突起部に電位が集中してコロナ放電（コロナ騒音）が発生しやすくなる。このため、風騒音とコロナ騒音をあわせて低減することが重要である。
【０００４】
環境調和の観点からすると、電線の風騒音の対策が必要な地域ではコロナ騒音の対策もあわせて必要になるケースが多い。また、比較的風が吹かない地域では、コロナ騒音のみが問題となる場合もある。このため、コロナ騒音特性の、より一層の改善が望まれている。
【０００５】
国内の送電線の送電電圧範囲では、一般に、コロナ騒音は雨天時に生じるものであるが、降雨中はコロナ騒音に比べて雨音の方が大きくなる。このため、降雨中はコロナ騒音の問題がほとんど生じない。これに対して、それまで降っていた雨が上がると、雨音が止んだことで暗騒音が低くなる。このため、コロナ騒音が相対的に大きくなり、これが可聴音として人間の耳に聞こえるため問題となってくる。したがって、コロナ騒音の特性を改善するためには、雨上がり後、電線に付着している水滴を早期に消滅させる必要がある。
【０００６】
コロナ騒音を低減させる技術としては、たとえば、特許文献１〜４に記載された技術が知られている。以下、順に説明する。
【０００７】
特許文献１には、風騒音を防止する突起部を３本の素線で形成し、これら３本の素線の中央位置に凹部を形成する技術が開示されている。
【０００８】
特許文献２には、上記特許文献１に記載の技術よりもコロナ騒音特性のさらなる改善を図るために、外周面の平滑部を形成する素線に断面略扇形のセグメント素線を用いるとともに、隣り合うセグメント素線の外側の角部を内側の角部よりも曲率半径の大きい曲線で形成することにより、それらのセグメント素線間に所定の深さの窪みを形成する技術が開示されている。
【０００９】
特許文献３には、環境上問題となる風騒音とコロナ騒音を低減し、強風時の風荷重も低減するために、突起部の数、突起部を形成する素線の断面形状、平滑部を形成する素線の断面形状等を工夫した技術が開示されている。
【００１０】
特許文献４には、雨上がり時のコロナ騒音特性を改善するために、最外層と内層との間の素線間の隙間を非油性充填剤で満たす技術が開示されている。
【先行技術文献】
【特許文献】
【００１１】
【特許文献１】特開平４−８７２１０号公報
【特許文献２】特開平６−３０２２２３号公報
【特許文献３】特開２０１２−２５６４５４号公報
【特許文献４】特開平１０−２５５５５４号公報
【発明の概要】
【発明が解決しようとする課題】
【００１２】
しかしながら、上記従来の技術には、以下のような問題があった。
すなわち、特許文献１，２に記載の技術は、電線の外径が２８．５ｍｍ（ＡＣＳＲ４１０ｍｍ２）以上の大サイズの送電線に適用されるものであり、外径が２８．５ｍｍ未満の小サイズの送電線では、突起部の外径増加による風荷重増加の影響が大きく、実用的な構造ではなかった。また、導体面積が同一の一般的なＡＣＳＲ電線（断面円形の素線を撚り合わせた構造）に比べて、コロナ騒音レベルを低減させることが困難であった。
【００１３】
また、特許文献３に記載の技術は、コロナ騒音レベルは各種の突起部付きの電線の中では優れるものの、一般的なＡＣＳＲ電線に比べて、コロナ騒音レベルを低減させることが困難であった。
【００１４】
また、特許文献４に記載の技術は、基本構造は一般的なＡＣＳＲ電線で断面円形の素線を用いて構成した電線の内部の隙間を充填材で満たしているため、一般的なＡＣＳＲ電線に比べると、充填材の効果によってコロナ騒音を低減することが可能である。ただし、充填材を付加することによって電線の製造コストが高くなってしまう。
【００１５】
本発明の主な目的は、雨上がり時のコロナ騒音特性に優れた架空送電線を安価に提供することにある。
【課題を解決するための手段】
【００１６】
本発明の第１の態様は、
電線の最外層を複数本の素線で構成するとともに、
前記最外層を構成する各々の素線を断面略扇形に形成し、
前記最外層で隣り合う素線間に、前記電線から垂れ下がる水滴を毛細管現象によって引き込む溝部を形成してなる
ことを特徴とする架空送電線である。
【００１７】
本発明の第２の態様は、
前記最外層で隣り合う素線の相対向する２つの側面部のうち、少なくとも一方の側面部に突出部を形成し、この突出部を他方の側面部に突き当てることにより、前記溝部を形成してなる
ことを特徴とする上記第１の態様に記載の架空送電線である。
【００１８】
本発明の第３の態様は、
前記溝部の幅を０．５ｍｍ以上、１．５ｍｍ以下としてなる
ことを特徴とする上記第１または第２の態様に記載の架空送電線である。
【００１９】
本発明の第４の態様は、
前記最外層で隣り合う素線の外側の角部を、曲率半径１．５ｍｍ以上、２．３ｍｍ以下のラウンド形状に形成してなる
ことを特徴とする上記第１〜第３の態様のいずれかに記載の架空送電線である。
【発明の効果】
【００２０】
本発明によれば、雨上がり時のコロナ騒音特性に優れた架空送電線を安価に提供することができる。
【図面の簡単な説明】
【００２１】
【図１】本発明の実施の形態に係る架空送電線の構成を示す断面図である。
【図２】電線のコロナ放電状況を説明する図である。
【図３】水滴に作用する力のバランスを示す模式図である。
【図４】本発明の実施の形態に係る水滴の挙動をモデル化した図である。
【図５】電線の角部の曲率半径を小さくした場合の水滴の挙動をモデル化した図である。
【図６】本発明の実施の形態に係る架空送電線の性能試験結果を示す図である。
【図７】本発明の他の実施の形態に係る架空送電線の構成を示す断面図である。
【発明を実施するための形態】
【００２２】
以下に、本発明の実施の形態について図面を参照しつつ説明する。
【００２３】
（架空送電線の構成）
図１は本発明の実施の形態に係る架空送電線の構成を示す断面図である。この断面図は、架空送電線を当該電線の長さ方向と直交する方向で断面（輪切り）したときの当該電線の断面形状を示している。
本実施の形態においては、架空送電線（以下、単に「電線」ともいう。）の各部の相対的な位置関係などを説明する場合に、電線の径方向で電線の中心に近い側を「内側」、電線の中心から遠い側を「外側」という。
【００２４】
図示した架空送電線１は、架空送電線路を形成する場合に用いられるものである。架空送電線１は、大きくは、鋼心部２と、導体部３とを備えた構成となっている。鋼心部２は、電線の内側に配置され、導体部３は、電線の外側に配置されている。この架空送電線１は、たとえば、外径が１５ｍｍ以上、４０ｍｍ以下の電線に好適に適用されるものである。電線の外径は、導体部３を構成する素線の最外部（電線の中心から最も遠い部分）に接する包絡線の直径で規定される。
【００２５】
（鋼心部）
鋼心部２は、テンションメンバーとして機能するもので、複数本（本形態例では７本）のアルミニウム被覆鋼線２０を撚り合わせて構成されている。鋼心部２は、電線の中心に１本のアルミニウム被覆鋼線２０を配置し、その周囲に６本のアルミニウム被覆鋼線２０を配置した構成になっている。各々のアルミニウム被覆鋼線２０は、互いに接触した状態で配置されている。また、各々のアルミニウム被覆鋼線２０は、断面円形の鋼線部２１と、この鋼線２１の外周面を被覆するアルミニウム被覆部２２とによって構成されている。アルミニウム被覆部２２は、アルミニウムまたはアルミニウム合金からなる。
【００２６】
（導体部）
導体部３は、鋼心部２の周囲を取り囲むように配置されている。導体部３は、電線の径方向において内側と外側の２層構造になっている。導体部３の内層は、複数本の素線３１によって構成され、導体部３の外層も、複数本の素線３２によって構成されている。本実施の形態においては、導体部３の内層が合計８本の素線３１によって構成され、導体部３の外層が合計１２本の素線３２によって構成されている。導体部３の内層の内周面は、鋼心部２の最外周部に接触し、導体部３の内層の外周面は、導体部３の外層の内周面に接触している。導体部３の外層は、電線の最外層を構成している。
【００２７】
素線３１および素線３２は、それぞれアルミニウムまたはアルミニウム合金からなるセグメント型の素線となっている。複数本の素線３１は、鋼心部２の周囲にスパイラル状に撚り合わせて巻かれ、さらにその外側に複数本の素線３２がスパイラル状に撚り合わせて巻かれている。素線３１の巻き方向と素線３２の巻き方向は、互いに反対方向になっている。
【００２８】
素線３１は、断面略扇形に形成されている。素線３１は、４つの角部を有している。素線３１の内側２つの角部はラウンド形状に形成され、素線３１の外側２つの角部もラウンド形状に形成されている。ラウンド形状とは、角が丸まった形状をいう。ラウンド形状のカーブの緩急は、曲率半径で規定することができる。すなわち、曲率半径が大きいラウンド形状はカーブが緩やかになり、曲率半径の小さいラウンド形状はカーブがきつくなる。素線３１の内側の角部の曲率半径は、素線３１の外側の角部の曲率半径と同等になっている。素線３１の両側面部は、いずれも部分的に出っ張りのない平坦な面（平滑面）で形成されている。各々の素線３１は、互いに側面部を密着させた状態で電線の円周方向に並んでいる。このため、電線の円周方向で隣り合う素線３１間は、ほとんど隙間がない状態になっている。
【００２９】
素線３２は、断面略扇形に形成されている。素線３２の厚み寸法は、内層の素線３１よりも大きくなっている。素線３２は、４つの角部を有している。素線３２の外側２つの角部はラウンド形状に形成されている。素線３２の外側の角部の曲率半径Ｒは、素線３１の外側の角部の曲率半径よりも大きくなっている。素線３２の内側２つの角部のうち、一方の角部はラウンド形状に形成され、他方の角部は、後述する突出部３４の存在によりラウンド形状とは異なる形状に形成されている。
【００３０】
電線の最外層で隣り合う各々の素線３２間には、溝部３３が形成されている。溝部３３は、電線から垂れ下がる水滴を引き込む部分となる。より具体的に記述すると、架空送電線１を用いて架空送電線路を形成した場合は、降雨によって電線に水滴（雨滴）が付着する。この水滴は電線の下部に回り込むなどして雨上がり後に電線から垂れ下がる。溝部３３は、そのようにして電線から垂れ下がる水滴を毛細管現象によって引き込む部分となる。
【００３１】
溝部３３は、以下のようにして形成されている。
すなわち、電線の最外層で隣り合う素線３２の相対向する２つの側面部のうち、一方の側面部に突出部３４を形成し、この突出部３４を他方の側面部に突き当てることにより、素線３２間に溝部３３が形成されている。突出部３４は、導体部３の外層を構成する各々の素線３２に一つずつ形成されている。また、突出部３４は、素線３２の両側面部のうち、一方の側面部から部分的に突出している。突出部３４は、素線３２の長さ方向にわたって一様な突出寸法で形成されている。また、突出部３４は、素線３２単体で見れば、素線３２の幅方向に突出し、架空送電線１全体で見れば、電線の円周方向に突出している。また、突出部３４は、素線３２の最内部（電線の中心に最も近い部分）に形成されている。
【００３２】
素線３２の突出部３４は、これに隣り合う他方の素線３２の側面部（突出部３４が形成されていない方の側面部）に突き当てられている。このため、電線の円周方向で隣り合う素線３２間には、突出部３４の突出寸法に応じた幅Ｗで溝部３３が形成されている。溝部３３の個数は、導体部３の外層を構成する素線３２の本数と同数になっている。
【００３３】
電線の円周方向で隣り合う素線３２は、互いに溝部３３を介して側面部同士を対向するように配置されている。隣り合う素線３２の相対向する２つの側面部は、互いに平行に配置されている。このため、溝部３３の幅Ｗは、電線の外側から内側に向かってほぼ一定の寸法になっている。また、上述したように各々の素線３２の外側２つの角部はラウンド形状に形成され、このラウンド形状にならって、隣り合う素線３２間に窪み部３５が形成されている。窪み部３５の幅は、外側から内側に向かって徐々に狭くなっている。窪み部３５の最内部は、素線３２間の溝部３３につながっている。
【００３４】
（実施の形態の作用効果）
まず、電線のコロナ放電状況について、図２を用いて説明する。
架線後、数年経過した電線の表面は油分が消失し、水ぬれ性が良好なため、降雨などによって電線に付着した水滴は、電線の下部に回り込み、そこから垂れ下がる。このため、雨上がり後は、電線の下部の複数の箇所（図中矢印で示す）で水滴が垂れ下がった状態になる。このように電線から垂れ下がる水滴は略三角錐形状に突出した状態となる。このため、水滴の先端（突端）の高電界部分でコロナ放電が引き起こされ、これによってコロナ騒音（コロナハム音）が発生する。したがって、コロナ騒音を低減するには、雨上がり後、コロナ騒音源となる水滴を早期に消滅させることが有効となる。
【００３５】
図３は水滴に作用する力のバランスを示す模式図である。
図示のように架空送電線１から垂れ下がる水滴４には、主に３つの力が作用する。一つは、表面張力などによる内向きの力Ｐｓであり、もう一つは、重力による外向きの力Ｐｈであり、他の一つは、表面電界による力Ｐｅである。このうち、力Ｐｈと力Ｐｅは、いずれも水滴４に対して下向きに作用する力であり、力Ｐｓは、水滴４に対して上向きに作用する力である。
【００３６】
架空送電線１の下部で水滴４が突出している状態を早期に解消するには、水滴４を電線側に引っ張り上げるように、水滴４に対して上向きに作用する力Ｐｓを大きくすればよい。そこで、本実施の形態においては、電線の最外層で隣り合う素線３２間に溝部３３を形成することにより、毛細管現象を利用して上記の力Ｐｓを大きくしている。
【００３７】
図４は本発明の実施の形態に係る水滴の挙動をモデル化した図である。
まず、架空送電線１に付着した水滴４は、雨上がり後、電線から垂れ下がった状態になるが、このときに最外層の素線３２間に溝部３３が形成されていると、水滴４が毛細管現象によって溝部３３に引き込まれる。このため、雨上がり後、水滴４が突出している状態を早期に解消することができる。したがって、雨上がり時のコロナ騒音特性を向上させることができる。また、電線の構成上、充填材等を付加する必要がなく、素線３２の形状を変更するだけで実施可能である。このため、コロナ騒音特性を改善した架空送電線を安価に提供することができる。
【００３８】
また、導体部３の外層を構成する素線３２の高さが一様に揃っているため、電線の最外層の一部に、外径増加をともなう突起部が存在しない。このため、風荷重増加の影響を受けやすい小サイズ電線（たとえば、外径２８．５ｍｍ未満の電線）にも好適に適用可能である。
【００３９】
また、水滴４は、素線３２の外側の角部を回り込むようにして溝部３３に引き込まれる。このため、素線３２の外側の角部をラウンド形状にして窪み部３５を形成しておけば、水滴４が窪み部３５から溝部３３へと流入しやすくなる。これにより、水滴４を溝部３３に素早く誘導することができる。
【００４０】
また、円周方向で隣り合う２つの素線３２は、互いに平滑な側面部を対向させて溝部３３と窪み部３５を形成している。このため、溝部３３が形成する隙間部分に、毛細管現象によって水滴４をスムーズに引き込むことができる。
【００４１】
ちなみに、素線３２の外側の角部をラウンド形状に形成する場合に、図５に示すように、角部の曲率半径Ｒを極度に小さくすると、角部のカーブがきつくなり、溝部３３に向かう水滴の流れが阻害されるおそれがある。このため、素線３２の外側の角度の曲率半径Ｒは、ある程度大きくする必要がある。具体的にどの程度の曲率半径Ｒで角部を形成するのが好ましいかについては後述する。
【００４２】
また、送電線の工事時には、電線を送り出すための延線車や金車を通過させるなど、さまざまな工事履歴を受ける。このため、工事履歴後も安定した電線形状を維持する必要がある。この点、本実施の形態に係る架空送電線１では、素線３２の側面部に突出部３４を形成し、この突出部３４の突き当てによって溝部３３を形成している。このため、架空送電線１の外周部に一様な幅Ｗで溝部３３を形成することができる。また、送電線の工事でさまざまな工事履歴を受けても、素線３２のずれが起こりにくくなるため、溝部３３の形状を含めた電線の型崩れを抑制することができる。また、素線３２間に形成される溝部３３の幅Ｗは、突出部３４の突出寸法によって決まる。このため、素線３２間に所望の寸法で精度良く溝部３３を形成することができる。加えて、突出部３４を素線３２の最内部に形成しているため、水滴を引き込む溝部３３の容量を大きく確保することができる。
【００４３】
図６は本発明の実施の形態に係る架空送電線の性能試験結果を示す図である。図中の縦軸はコロナハム音相対レベル（ｄＢ）を示し、横軸は溝部３３の幅Ｗ（ｍｍ）を示している。
【００４４】
図示した架空送電線の性能試験結果は、電線外径＝１５ｍｍ以上、４０ｍｍ以下、等価軽雨時、Ｇｍａｘ（最大導体表面電位の傾き）＝１６ｋＶ／ｃｍの試験条件で、溝部３３の幅Ｗと角部の曲率半径Ｒ（図４および図５を参照）をパラメータとしてコロナハム音レベルを測定した結果を示している。
この性能試験では、電線の最外層で隣り合う素線３２間に溝部３３を形成していない架空送電線と、当該素線３２間に溝部３３を形成した架空送電線とを対象にコロナハム音レベルを測定し、前者の測定結果を基準（ゼロ）に、後者の測定結果を相対レベルとして評価している。また、溝部３３を形成した架空送電線については、溝部３３の幅Ｗと角部の曲率半径Ｒを変えて測定したときのコロナハム音の変化を相対レベルとして評価している。具体的には、溝部３３の幅Ｗを、０．５ｍｍ、１．０ｍｍ、１．５ｍｍ、２．０ｍｍ、２．５ｍｍ、３．０ｍｍと変えて測定している。また、角部の曲率半径Ｒを、１．０ｍｍ、１．５ｍｍ、２．０ｍｍ、２．３ｍｍ、３．０ｍｍと変えて測定している。
【００４５】
角部の曲率半径Ｒを１．０ｍｍとした場合は、溝部３３の幅Ｗを１．０ｍｍとしたときに、コロナハム音相対レベルが若干改善し、それ以外の幅Ｗではコロナハム音相対レベルが一様に悪化している。
【００４６】
角部の曲率半径Ｒを１．５ｍｍとした場合は、溝部３３の幅Ｗを０．５ｍｍ、１．０ｍｍ、１．５ｍｍとしたときに、コロナハム音相対レベルが−２ｄＢ程度と大きく改善し、それ以外の幅Ｗではコロナハム音相対レベルが改善していない。
【００４７】
角部の曲率半径Ｒを２．０ｍｍとした場合は、溝部３３の幅Ｗを０．５ｍｍ、１．０ｍｍ、１．５ｍｍ、２．０ｍｍとしたときに、コロナハム音相対レベルが−２ｄＢ程度に大きく改善し、それ以外の幅Ｗではコロナハム音相対レベルが改善していない。
【００４８】
角部の曲率半径Ｒを２．３ｍｍとした場合は、溝部３３の幅Ｗを０．５ｍｍ、１．０ｍｍ、１．５ｍｍとしたときに、コロナハム音相対レベルが−１ｄＢ〜−２ｄＢの範囲で改善し、それ以外の幅Ｗではコロナハム音相対レベルが改善していない。
【００４９】
角部の曲率半径Ｒを３．０ｍｍとした場合は、溝部３３の幅Ｗの大小にかかわらず、コロナハム音相対レベルが一様に悪化している。
【００５０】
以上の試験結果から、溝部３３の幅Ｗについては、０．５ｍｍ以上、１．５ｍｍ以下に設定することが好ましい。また、角部の曲率半径Ｒについては、１．５ｍｍ以上、２．３ｍｍ以下に設定することが好ましい。
【００５１】
（他の実施の形態）
図７は本発明の他の実施の形態に係る架空送電線の構成を示す断面図である。この実施の形態においては、先の実施の形態と比較して、電線の最外層を構成する導体部３の外層に突起部３ａを形成している点が異なる。
【００５２】
すなわち、先に実施の形態（図１）では、導体部３の外層を構成する素線３２の高さが一様に揃っている。これに対して、他の実施の形態（図７）では、素線３２の高さに高低差がつけられている。具体的には、電線の円周方向に１８０°の間隔をあけて配置された２つの素線３２ａが、他の素線３２ｂよりもｈ寸法だけ高くなるように肉厚に形成され、これによって導体部３の外層に２つの突起部３ａが形成されている。
【００５３】
このような突起部３ａを有し、風騒音対策を施した架空送電線１においても、最外層で隣り合う素線３２間に、突出部３４の突き当てによって溝部３３を形成することにより、先の実施の形態と同様の作用効果が得られる。
【００５４】
（変形例等）
本発明の技術的範囲は上述した実施の形態に限定されるものではなく、発明の構成要件やその組み合わせによって得られる特定の効果を導き出せる範囲において、種々の変更や改良を加えた形態も含む。
【００５５】
たとえば、上記実施の形態においては、最外層で隣り合う素線３２の相対向する２つの側面部のうち、一方の側面部に突出部３４を形成し、この突出部３４を他方の側面部に突き当てることにより、溝部３３を形成しているが、本発明はこれに限らない。たとえば、図示はしないが、上記相対向する２つの側面部の両方に突出部を形成し、各々の突出部を、対向する側面部に突き当てた構成、あるいは突出部同士を突き当てた構成とすることにより、溝部を形成してもよい。
【００５６】
また、上記実施の形態においては、好ましい例として、最外層で隣り合う各々（すべて）の素線３２間に、それぞれ溝部３３を形成しているが、これに限らず、たとえば、円周方向に並ぶ素線３２間のうち少なくとも１箇所、好ましくは複数箇所（たとえば、溝部３３が有る箇所と無い箇所が交互に並ぶ形態）に溝部３３を形成したものであってもよい。
【００５７】
また、上記実施の形態においては、電線の径方向と平行な向きで溝部３３を直線状に形成しているが、これ以外にも、たとえば溝部を曲線状（波形など）に形成してもよい。
【００５８】
また、上記実施の形態においは、導体部３を２層構造としているが、３層以上の構造としてもよい。
【００５９】
また、上記実施の形態においては、導体部３の内層を構成する素線３１と外層を構成する素線３２の両方をそれぞれ断面略扇形に形成しているが、電線の最外層よりも内側の層を構成する素線は断面円形に形成してもかまわない。
【符号の説明】
【００６０】
１…架空送電線
２…鋼心部
３…導体部
４…水滴
２０…アルミニウム被覆鋼線
２１…鋼線部
２２…アルミニウム被覆部
３１，３２…素線
３３…溝部
３４…突出部
３５…窪み部
【図１】
2015179614.tif 000003
【図３】
2015179614.tif 000004
【図４】
2015179614.tif 000005
【図５】
2015179614.tif 000006
【図６】
2015179614.tif 000007
【図７】
2015179614.tif 000008
【図２】
2015179614.tif 000009